(57)【特許請求の範囲】
【請求項１】
一対のヘッドホンユニットと、この一対のヘッドホンユニットにそれぞれ接続されたコードを有するヘッドホンが係止される係止部材を備え、
前記係止部材は、首に掛けられる所定の長さを有し、その両端部にそれぞれ前記コードを挿通するための所定の大きさのコード挿通孔を有するヘッドホン係止装置。
【請求項２】
前記コード挿通孔が前記ヘッドホンユニットを係止可能である請求項１に記載のヘッドホン係止装置。
【請求項３】
前記両端部の先端に前記コード挿通孔に達する切込みが設けられている請求項２に記載のヘッドホン係止装置。
【請求項４】
一対のヘッドホンユニットと、
この一対のヘッドホンユニットにそれぞれ接続されたコードと、
首に掛けられる所定の長さを有し、その両端部にそれぞれ前記コードを挿通するための所定の大きさのコード挿通孔を有する係止部材と、
を備えたヘッドホン。
【発明の詳細な説明】
【０００１】
【発明の属する技術分野】
本発明は、係止具の両端のコード挿通孔に一対のヘッドホンユニットからそれぞれ導出されるコードを挿通させ、未使用時には首に掛けられた係止具のコード挿通孔にヘッドホンユニットを係止させて何時でも使用可能な状態にすると共に、ヘッドホンの収納時には係止具のコード挿通孔にヘッドホンユニットを係止させた状態で一纏めにするので、コードが絡むことなく、安全に収納できるようにしたヘッドホン係止装置及びこれを備えたヘッドホンに関するものである。
【０００２】
【従来の技術】
近年、ヘッドホンステレオやＣＤ（Compact Disc）プレーヤやＭＤ（Mini Disc）プレーヤ等のヘッドホンを有するポータブルオーディオ装置が増加する傾向にある。図８はこのようなポータブルオーディオ装置に取り付けるヘッドホンの一例を示す図である。
【０００３】
ヘッドホン２１は片出し形式のものであって、それぞれドライバユニットを内蔵した左右一対のヘッドホンユニット２２，２３と、ヘッドホンユニット２２，２３からそれぞれ導出されるコード２５，２６と、左ヘッドホンユニット２２の近傍でコード２５，２６を１本に纏めたコード２７と、コード２７の先端に設けられたプラグ２８から概略構成されている。プラグ２８はポータブルオーディオ装置の出力端子に接続するためのものである。
【０００４】
【発明が解決しようとする課題】
ところで、上述のようなヘッドホン２１では、未使用時にヘッドホンユニット２２，２３を耳から取り外すときには、コード２６を首の後ろにかけて、ヘッドホンユニット２２，２３が落下しないようにしている。しかし、コード自体を係止具として使用しているので、無理な負荷がかかることも多く、破損の原因にもなっていた。そこで、本来、未使用時には首にかけて係止できる構成となっているにもかかわらず、使用者はプラグ２８を図示せぬポータブルオーディオ装置の出力端子から引き抜き、ヘッドホンユニット２２，２３及びコード２５，２６，２７を一纏めにしてバッグや小物入れやポケット等に収納しなければならない。
【０００５】
しかしながら、ヘッドホンユニット２２，２３及びコード２５，２６，２７を一纏めにしてバッグや小物入れやポケット等に収納すると、コード２５，２６，２７が複雑に絡まってしまい、使用時にはその都度コード２５，２６，２７の絡みを解かなければならず、非常に手間がかかり面倒であり、場合によっては絡みを解くために無理にコードを引っ張って、コードを破損する虞もあった。
【０００６】
また、収納時にコード２５，２６，２７が複雑に絡まることは、コード２５，２６，２７の屈曲する箇所が多くなり、またコードに無理な力がかかることになり、破損しやすく、断線しやすく、耐久性の上で問題があった。更に、未使用時にヘッドホンユニットを耳から一時的に取り外して、いつでもヘッドホンユニットを耳に装着できるように、耳の近傍にヘッドホンユニットを保持できるようになっていないため、未使用時には必ずヘッドホンをバッグや小物入れやポケット等に収納せねばならず、不便であった。
【０００７】
そこで、本発明は、ヘッドホンの収納時にはコードが絡むことなく、しかも未使用時には耳の近傍にヘッドホンユニットを保持できるように構成し、以て上述した課題を解決したヘッドホン係止装置及びこれを備えたヘッドホンを提供することを目的とするものである。
【０００８】
【課題を解決するための手段】
本発明に係るヘッドホン係止装置は、一対のヘッドホンユニットと、この一対のヘッドホンユニットにそれぞれ接続されたコードを有するヘッドホンが係止される係止部材を備え、係止部材は、首に掛けられる所定の長さを有し、その両端部にそれぞれコードを挿通するための所定の大きさのコード挿通孔を有するものである。
【０００９】
本発明に係るヘッドホン係止装置では、首に掛けられる所定の長さを有し、その両端部にそれぞれコードを挿通するための所定の大きさのコード挿通孔が設けられているので、未使用時にはヘッドホンユニットを耳から取り外すと、ヘッドホンユニットをコード挿通孔に係止することができ、ヘッドホンの収納時にはコード挿通孔にヘッドホンユニットを係止させた状態で一纏めにするので、コードが絡むことなく、安全に収納することができる。
【００１０】
また、本発明に係るヘッドホンは、一対のヘッドホンユニットと、この一対のヘッドホンユニットにそれぞれ接続されたコードと、首に掛けられる所定の長さを有し、その両端部にそれぞれコードを挿通するための所定の大きさのコード挿通孔を有する係止部材とを備えたものである。
【００１１】
本発明に係るヘッドホンでは、首に掛けられる所定の長さを有し、その両端部にそれぞれコードを挿通するための所定の大きさのコード挿通孔を有する係止部材を備えているので、未使用時にはヘッドホンユニットを耳から取り外すと、ヘッドホンユニットを係止部材のコード挿通孔に係止することができ、ヘッドホンの収納時には係止部材のコード挿通孔にヘッドホンユニットを係止させた状態で一纏めにするので、コードが絡むことなく、安全に収納することができる。
【００１２】
【発明の実施の形態】
以下、図面に沿って本発明に係るヘッドホンの実施の形態の一例を説明する。図１は本発明に係るヘッドホンの構成例である。ヘッドホン１はヘッドホンコードが左右それぞれ同一長さのものであって、それぞれドライバユニットを内蔵した左右一対のヘッドホンユニット２，２´と、一対のヘッドホンユニット２，２′からそれぞれ導出されるコード３，３′と、コード３，３′が１本に纏められたコード５と、コード５の途中に設けられコード５を巻き取るための巻取器６と、コード５の先端に設けられたプラグ７と、平面視略Ｕ字形でＵ字の先端にコード３，３′を挿通させかつヘッドホンユニット２，２′を係止するためのコード挿通孔である係止孔９ｂ，９ｂが開けられたヘッドホン係止装置（係止部材）である係止具９から概略構成されている。プラグ７はポータブルオーディオ装置の出力端子に接続するためのものである。
【００１３】
本発明は、略Ｕ字形の係止具９の両端の係止孔９ｂ，９ｂにヘッドホンユニット２，２′からそれぞれ導出されるコード３，３′を挿通させ、未使用時には首に掛けられた係止具９の係止孔９ｂ，９ｂにヘッドホンユニット２，２′を係止させて何時でも使用可能な状態にすると共に、ヘッドホン１の収納時には係止具９の係止孔９ｂ，９ｂにヘッドホンユニット２，２′を係止させた状態で一纏めにするので、コードが絡むことなく、安全に収納できるようにしたものである。
【００１４】
図２（ａ）は本発明に係るヘッドホンの正面図、図２（ｂ）はその側面図である。首に掛ける係止具９は略Ｕ字形の両端に略円形の係止部９ａが設けられており、この係止部９ａには係止孔９ｂが穿設されている。この係止孔９ｂ，９ｂにはそれぞれコード３，３′が挿通されると共に、ヘッドホンユニット２，２′の後述する頭部筐体１１の鍔部１１ａが係止されるようになっている。
【００１５】
図３はヘッドホンユニットの側面図である。左右ヘッドホンユニット２，２′は同一形状のため左ヘッドホンユニット２についてのみ説明する。ヘッドホンユニット２の頭部筐体１１は前面に鍔部１１ａ、下部にコード引出し部１１ｂを有しており、鍔部１１ａ部分にはドライバユニット１２が内設されている。ドライバユニット１２の図示せぬ端子にはコード３の先端が半田付けされている。
【００１６】
図４はヘッドホンユニットを耳に装着した状態を示す図である。先ず、ヘッドホン１のプラグ７を図示せぬポータブルオーディオ装置の出力端子に接続し、巻取器６を操作してコード５を所望の長さに調節する。次いで、ヘッドホンユニット２，２′を係止具９の係止孔９ｂ，９ｂから引き出し、ヘッドホンユニット２，２′のそれぞれの頭部筐体１１を左右の耳の耳甲介腔に装着する。そして、ポータブルオーディオ装置をプレイ状態にしてヘッドホンユニット２，２′のドライバユニット１２から出力される音楽等の音を聞く。
【００１７】
図５は未使用時にヘッドホンユニット２，２′を両耳から取り外して係止具９に係止させた状態を示す図であり、図５（ａ）はその正面図、図５（ｂ）はその側面図である。ヘッドホンユニット２，２′を両耳から取り外すと、コード３，３′，５、及び巻取器６の重さにより、自動的にヘッドホンユニット２，２′は下方向に引っ張られ、係止具９の係止孔９ｂ，９ｂにヘッドホンユニット２，２′の頭部筐体１１の鍔部１１ａが係止される。このように、未使用時には係止具９の係止孔９ｂ，９ｂにヘッドホンユニット２，２′が係止されるので、何時でも使用可能な状態にすることができる。
【００１８】
従って、ヘッドホンユニット２，２′を両耳から取り外しても、落下することはなく、自動的にヘッドホンユニット２，２′を係止具９の係止孔９ｂ，９ｂに係止させることができ、未使用時にヘッドホンを必ずバッグや小物入れやポケット等に収納する必要がない。また、ポータブルオーディオ装置を聞きたい場合には、両耳の近傍に配置された係止具９の係止孔９ｂ，９ｂに係止されたヘッドホンユニット２，２′を引っ張り出して両耳に装着すればよく、何時でも簡単にポータブルオーディオ装置を聞くことができ、極めて簡便である。
【００１９】
図６はヘッドホン１をバッグや小物入れやポケット等に収納した状態を示す図である。収納時にはコード３，３′，５は複数回屈曲するが、係止具９の係止孔９ｂ，９ｂにヘッドホンユニット２，２′が係止されているので、コード３，３′，５が複雑に絡まることはなく、比較的整然と屈曲して収納することができる。
【００２０】
このため、従来のように、収納時にはコードが複雑に絡まり、使用時にはその都度コードの絡まりを解かなければならないという手間を省くことができる。更に、収納時にはコード３，３′，５が複雑に絡まることはなく、比較的整然と屈曲して収納されるので、コードに無理な力がかかることはなく、コードの耐久性を向上させることができる。
【００２１】
なお、上述実施の形態では、コード５を巻き取るための巻取器６を設けたが、必ずしもこれに限定されるわけではなく、巻取器６がなくてもよいことは勿論である。係止具９の両端の係止孔９ｂ，９ｂにヘッドホンユニット２，２′の頭部筐体１１の鍔部１１ａが係止されるとしたが、これに限らず、係止具９の両端の係止孔９ｂ，９ｂにヘッドホンユニット２，２′の頭部筐体１１の引出し部１１ｂ等他の箇所が係止されるとしてもよい。
【００２２】
次に、第２の実施の形態のヘッドホン係止装置について説明する。図７は第２の実施の形態のヘッドホン係止装置である係止具を示す斜視図である。第２の実施の形態の係止具１５は可撓性を有し、略Ｕ字形の両端に略円形の係止部１５ａが設けられており、この係止部１５ａには係止孔１５ｂが穿設されている。係止部１５ａには例えばＶ字形の切込１５ｃが設けられており、切込１５ｃの先端は係止孔１５ｂに到達している。従って、係止具１５の切込１５ｃ，１５ｃにコード３，３′を当接させ圧入することにより、コード３，３′を係止孔１５ｂ，１５ｂに挿通させることができる。
【００２３】
これにより、既存のヘッドホンでも係止具１５に装着することができ、好みのデザインの係止具を既存のヘッドホンに自由に取り付け、組み合わせて使用することができる。また、ユーザーは様々な色やデザインの係止具を購入して、係止具の係止孔に自分のヘッドホンのコードを挿入することにより、美観を向上させると共に、ヘッドホンと係止具の様々な組み合わせを楽しむことができる。更に、もし係止具が破損しても係止具のみを取り替えればよく、経済的である。
【００２４】
なお、上述第２の実施の形態では、Ｖ字形の切込１５ｃとしたが、これに限らず、Ｕ字形の切込やスリット等の他の形状の切込であってもよいことは勿論である。
【００２５】
【発明の効果】
以上説明したように、本発明によれば、ヘッドホンユニットを両耳から取り外しても落下することはなく、未使用時にヘッドホンを必ずバッグや小物入れやポケット等に収納する必要がない。使用時には、首に掛けられた係止部材のコード挿通孔に係止されたヘッドホンユニットを引っ張り出して両耳に装着すればよく、何時でも簡単にポータブルオーディオ装置を聞くことができ、極めて簡便である。
【００２６】
また、収納時にはコードが複雑に絡まることはなく、比較的整然と屈曲して収納されるので、従来のように、収納時にはコードが複雑に絡まり、使用時にはその都度コードの絡まりを解かなければならないという手間を省くことができる。収納時にはコードが複雑に絡まることはなく、比較的整然と屈曲して収納されるので、コードに無理な力がかかることはなく、コードの耐久性を向上させることができる。
【００２７】
更に、係止部材の両端部に先端がコード挿通孔に達する切込みを設けた場合には、既存のヘッドホンでも係止部材に装着することができ、好みのデザインの係止部材を既存のヘッドホンに自由に取り付け、組み合わせて使用することができる。
【図面の簡単な説明】
【図１】本発明に係るヘッドホンの構成例を示す図である。
【図２】（ａ）は本発明に係るヘッドホンの正面図、（ｂ）はその側面図である。
【図３】ヘッドホンユニットの側面図である。
【図４】ヘッドホンユニットを耳に装着した状態を示す図である。
【図５】ヘッドホンユニットを耳から取り外して係止具に係止させた状態を示し、（ａ）はその正面図、（ｂ）はその側面図である。
【図６】ヘッドホンを収納した状態を示す図である。
【図７】第２の実施の形態の係止具を示す図である。
【図８】ポータブルオーディオ装置に取り付ける従来のヘッドホンの一例を示す図である。
【符号の説明】
１  ヘッドホン
２  左ヘッドホンユニット
２′右ヘッドホンユニット
３，３′，５  コード
６  巻取器
７  プラグ
９  係止具（係止部材、ヘッドホン係止装置）
９ａ  係止部
９ｂ  係止孔（コード挿通孔）
１１  頭部筐体
１１ａ  鍔部
１１ｂ  コード引出部
１５  係止具（係止部材、ヘッドホン係止装置）
１５ａ  係止部
１５ｂ  係止孔（コード挿通孔）
１５ｃ  切込
【図１】
0004296672.tif 000002
【図２】
0004296672.tif 000003
【図３】
0004296672.tif 000004
【図４】
0004296672.tif 000005
【図５】
0004296672.tif 000006
【図６】
0004296672.tif 000007
【図７】
0004296672.tif 000008
【図８】
0004296672.tif 000009